(57)【要約】  回路基板２がカードケース３の内部に収容配置されて成るカード型装置１において、このカード型装置１は、装着対象の機器に設けられるカード用スロット内に抜き差し可能なものである。カード用スロット内に挿入する場合に挿入後端側となるカードケース３の周壁の後端側の壁部には、少なくともカード型装置１の抜き差し時に把持位置となる部位の表面に露出させて、滑り防止用部材４を掛け留めして設ける。【特許請求の範囲】
【請求項１】
回路基板がカードケース内に収容配置されて成るカード型装置において、このカード型装置は、装着対象の機器に設けられているカード用スロット内に抜き差し可能なものであり、前記カード用スロット内に挿入する場合に挿入後端側となるカードケースの周壁の後端側の壁部には、少なくともカード型装置の抜き差し時に把持位置となる部位の表面に露出させて、滑り防止用部材が掛け留めして配設されていることを特徴とするカード型装置。
【請求項２】
滑り防止用部材は弾性材料により構成されていることを特徴とする請求項１記載のカード型装置。
【請求項３】
カードケースは、回路基板の表面側を覆う表側ケース部と、回路基板の裏面側を覆う裏側ケース部とを有し、
カードケースの表側ケース部と裏側ケース部とのうちの少なくとも一方側は、回路基板面を覆う平板状のケース面から起立してカードケースの後端側の壁部を構成する後端面構成壁部を有し、当該後端面構成壁部には、起立先端側から基端側に向けて切り欠きが形成されており、
滑り防止用部材は、カードケース外側から前記後端面構成壁部の切り欠きを通してカードケース内側に伸長形成される支持部と、この支持部のカードケース内側部分に設けられ後端面構成壁部のカードケース内側の壁面に係止して滑り用部材を抜け止めするためのケース内側係止部とを有し、
滑り防止用部材の支持部が切り欠き内に配置されケース内側係止部が後端面構成壁部のカードケース内側の壁面に係止して滑り防止用部材がカードケースの周壁の後端側の壁部に掛け留めされた状態で表側ケース部と裏側ケース部が組み合わされ、前記後端面構成壁部の起立先端部は、組み合わされる相手側のケース部と当接し、この当接位置は表側ケース部と裏側ケース部との接合部位であることを特徴とする請求項１又は請求項２記載のカード型装置。
【請求項４】
表側ケース部と、裏側ケース部とは両方共に樹脂材料により構成され、表側ケース部と、裏側ケース部とは超音波溶着技術によって接合されており、
滑り防止用部材は、表側ケース部と裏側ケース部を接合するための超音波印加中にその超音波で溶着しない材料により構成されていることを特徴とする請求項３記載のカード型装置。
【請求項５】
表側ケース部と裏側ケース部を接合するための超音波印加により溶融した表側ケース部と裏側ケース部の接合部分の一部が切り欠き内に流れ込み切り欠き内の滑り防止用部材の支持部との間に入り込んだ溶融物が硬化して切り欠き壁面から支持部に向けて突出して支持部表面を押圧する突起部と成していることを特徴とする請求項４記載のカード型装置。
【請求項６】
滑り防止用部材のケース内側係止部は、支持部のカードケース内側部分からカードケースの後端面構成壁部の内壁面に沿う方向に突出した爪形状であることを特徴とする請求項３記載のカード型装置。
【請求項７】
カードケースの後端面構成壁部の切り欠きは、複数設けられる構成と成し、
滑り防止用部材は、後端面構成壁部の複数の切り欠きにそれぞれ対応した複数の支持部を有し、各支持部のカードケース内側先端部位はカードケースの後端面構成壁部の内壁面に沿って伸長する共通の連結部材によって連結され、この連結部材が各支持部のケース内側係止部と成していることを特徴とする請求項３記載のカード型装置。
【請求項８】
滑り防止用部材は弾性材料により構成されており、滑り防止用部材のカードケース内側の部位には、カードケース内に収容される回路基板の端面に当接して回路基板の配置位置を固定する回路基板位置決め固定用の平坦面部が形成されていることを特徴とする請求項３記載のカード型装置。
【発明の詳細な説明】
【技術分野】
【０００１】
本発明は、ＳＤカードやＰＣカード等のカード型装置に関するものである。
【背景技術】
【０００２】
図８ａにはカード型装置の模式的な斜視図が示され、図８ｂにはそのカード型装置の模式的な分解図が示されている。カード型装置４０は、回路基板４１と、この回路基板４１を収容するカードケース４２と、後述する外部接続手段（接続用コネクタ）４３とを有して構成されている。【０００３】
カードケース４２は、回路基板４１の表面側を覆う表側ケース部４４と、回路基板４１の裏面側を覆う裏側ケース部４５とを有している。表側ケース部４４と裏側ケース部４５は組み合わされてカードケース４２を構成している。表側ケース部４４と裏側ケース部４５が両方共に樹脂材料により構成されている場合には、例えば次に示すように作製される。例えば、表側ケース部４４と裏側ケース部４５にそれぞれ設けられている周壁部４６，４７の先端部同士が突き合わされる。そして、その周壁部４６，４７の当接部分が例えば超音波溶着技術により接合されて表側ケース部４４と裏側ケース部４５が一体化される。このようにして、カードケース４２が作製される。【０００４】
外部接続手段４３は、回路基板４１に形成されている電気回路を外部と電気的に接続させるためのものである。この外部接続手段４３はカードケース４２の片端側に配設され、当該外部接続手段４３の接続端面はカードケース４２の端面から外部に露出されている。【０００５】
【非特許文献１】BRANSON，「TECHNCAL  INFORMATION  超音波溶着」
【発明の開示】
【発明が解決しようとする課題】
【０００６】
ところで、図８ａに示されるカード型装置４０は、パソコン等の機器に設けられているカード用スロット内に必要に応じて抜き差しすることが可能なものである。パソコン等の機器のカード用スロット内にカード型装置４０を装着する場合には、例えばカード型装置４０を指で把持してカード型装置４０をカード用スロット内に挿入する。また、パソコン等の機器のカード用スロット内からカード型装置４０を外す場合には、カード型装置４０を指で把持してカード型装置４０をカード用スロット内から引き出す。このように、カード型装置４０を指で把持してカード型装置４０の抜き差しを行う。【０００７】
しかしながら、カード型装置４０のカードケース４２は例えば樹脂材料を成形して作製されている。このため、カードケース４２の表面は平滑な面と成している。このことから、カード型装置４０の抜き差し時に、指がカードケース表面を滑りやすく、扱いづらいという問題があった。
【課題を解決するための手段】
【０００８】
この発明は次に示す構成をもって前記課題を解決するための手段としている。すなわち、この発明は、回路基板がカードケース内に収容配置されて成るカード型装置において、このカード型装置は、装着対象の機器に設けられているカード用スロット内に抜き差し可能なものであり、前記カード用スロット内に挿入する場合に挿入後端側となるカードケースの周壁の後端側の壁部には、少なくともカード型装置の抜き差し時に把持位置となる部位の表面に露出させて、滑り防止用部材が掛け留めして配設されていることを特徴としている。
【発明の効果】
【０００９】
この発明によれば、カード用スロット内に挿入する場合に挿入後端側となるカードケースの周壁の後端側の壁部には、少なくともカード型装置の抜き差し時に把持位置となる部位に滑り防止用部材が設けられている。このため、カード型装置をカード用スロット内に抜き差しするときに、カード型装置を把持した指がカードケース表面を滑り難くなってカード型装置を把持し易くなる。これにより、カード用スロット内にカード型装置をスムーズに抜き差しすることができて、カード型装置の使い勝手を向上させることができる。【００１０】
また、滑り防止用部材はカードケースとは異なる別部品である。このことから、カードケースを構成する材料やカードケースの形状等に対する制限事項に制約されることなく、滑り防止用部材の構成材料や形状等を設計することができることとなる。これにより、カード型装置の外観に関する意匠デザインの自由度を高めることができる。さらに、滑り防止用部材を弾性部材とした場合、落下等の耐衝撃性に優れることとなる。
【図面の簡単な説明】
【００１１】
【図１ａ】第１実施例のカード型装置を説明するための模式的な斜視図である。
【図１ｂ】図１ａのカード型装置の簡略的な分解図である。
【図２ａ】第１実施例のカード型装置を構成する滑り防止用部材を掛け留めするための構成を説明するための図である。
【図２ｂ】図２ａの部分的な拡大図である。
【図３ａ】第１実施例のカード型装置を構成する表側ケース部の接合前の状態を説明するための図である。
【図３ｂ】図３ａの表側ケース部の側面図である。
【図３ｃ】図３ａのＡ−Ａ部分の断面図である。
【図４ａ】表側ケース部と裏側ケース部との超音波溶着技術による接合手法の一例を図４ｂと共に説明するための図である。
【図４ｂ】表側ケース部と裏側ケース部との超音波溶着技術による接合手法の一例を図４ａと共に説明するための図である。
【図５ａ】切り欠き壁面から切り欠き内の滑り防止用部材の支持部に向けて突出形成される突起部の形成手法の一例を図５ｂと共に説明するための図である。
【図５ｂ】切り欠き壁面から切り欠き内の滑り防止用部材の支持部に向けて突出形成される突起部の形成手法の一例を図５ａと共に説明するための図である。
【図６】第２実施例を説明するための図である。
【図７】その他の実施例を説明するための図である。
【図８ａ】カード型装置の一構成例を説明するための斜視図である。
【図８ｂ】図８ａのカード型装置の簡略的な分解図である。
【符号の説明】
【００１２】
１  カード型装置
２  回路基板
３  カードケース
４  滑り防止用部材
６  表側ケース部
７  裏側ケース部
９，１１  周壁部
１２，１３  切り欠き
１６  支持部
１７  ケース内側係止部
２１  突起部
【発明を実施するための最良の形態】
【００１３】
以下に、この発明に係る実施例を図面に基づいて説明する。【００１４】
図１ａには第１実施例のカード型装置が模式的な斜視図により示され、図１ｂには第１実施例のカード型装置の模式的な分解図が示されている。このカード型装置１は、回路基板２と、この回路基板２を収容するカードケース３と、カードケース３に装着される滑り防止用部材４とを有して構成されている。このカード型装置１は、装着対象の例えばパソコン等の機器に設けられているカード用スロット内に抜き出し可能なものである。なお、カード型装置１には、回路基板２の電気回路を外部と電気的に接続させるための外部接続手段（図示せず）が設けられる。外部接続手段の構成には様々な構成がある。この第１実施例では、外部接続手段の構成は特に限定されるものではなく、例えば接続コネクタ、接続端子等の装着相手の接続手段に応じた構成を持つ外部接続手段がカード型装置１に設けられる。ここでは、その外部接続手段の具体的構成は省略する。【００１５】
カードケース３は、回路基板２の表面側を覆う表側ケース部６と、回路基板２の裏面側を覆う裏側ケース部７とを有して構成されている。表側ケース部６は、回路基板２の表面を覆う平板状の表側のケース面８と、このケース面８から起立する方向に伸長形成された周壁部９とを有している。また、裏側ケース部７は、回路基板２の裏面を覆う平板状の裏側のケース面１０と、このケース面１０から起立する方向に伸長形成された周壁部１１とを有している。表側ケース部６と、裏側ケース部７とは、周壁部９，１１の起立先端側同士が当接され、当該当接部分が超音波溶着技術によって接合されてカードケース３を形成している。つまり、この第１実施例では、表側ケース部６と、裏側ケース部７とは、超音波溶着技術により接合させるのに適合した材料（例えばポリカーボネート等の樹脂材料）により構成されている。【００１６】
この第１実施例では、カード型装置１を装着対象の機器のカード用スロット内に挿入する場合に挿入後端側となるカードケース３の周壁の後端側の壁部に、滑り防止用部材４が次に示すような構成により掛け留めして配設されている。すなわち、カードケース３を構成する表側ケース部６と裏側ケース部７の両方の周壁部９，１１の挿入後端側の壁部は、それぞれ、カードケース３の後端側の壁部を構成する後端面構成壁部９ａ，１１ａと成している。表側ケース部６の後端面構成壁部９ａには、起立先端側から基端側に向けて（換言すれば、図１ｂの下側から上側に向けて）切り欠いた切り欠き１２が複数形成されている。また、裏側ケース部７の後端面構成壁部１１ａには、起立先端側から基端側に向けて（換言すれば、図１ｂの上側から下側に向けて）切り欠いた切り欠き１３が、表側ケース部６の各切り欠き１２の形成位置にそれぞれ対応する位置に形成されている。【００１７】
滑り防止用部材４は、カードケース３の周壁の後端側の壁部を覆うように露出させて配設される本体部１５と、この本体部１５からカードケース３の内側に向けて伸張形成されている複数の支持部１６と、支持部１６の伸張先端部に設けられているケース内側係止部１７とを有して構成されている。【００１８】
この第１実施例では、各支持部１６は、それぞれ、カードケース３の後端面構成壁部９ａ，１１ａの個別に対応する切り欠き１２，１３の形成位置に応じた位置に設けられている。各支持部１６は、それぞれ、図２ａの平面図に示されるように、切り欠き１３（１２）に通すことができるものである。ケース内側係止部１７は、各支持部１６が切り欠き１２，１３に通された状態で各支持部１６のカードケース内側となる先端部位に設けられている。このケース内側係止部１７は、カードケース３の後端面構成壁部９ａ，１１ａのカードケース内側の壁面に係止して滑り用部材４を抜け止めするものである。この第１実施例では、支持部１６のカードケース内側部分から後端面構成壁部９ａ，１１ａの内壁面に沿う方向に突出した爪形状となっている。【００１９】
この第１実施例では、後端面構成壁部９ａ，１１ａの内壁面には、切り欠き１２，１３の形成位置に、ケース内側係止部１７を収容するための凹部１８，１９が形成されている（図２ｂの拡大図参照）。ケース内側係止部１７は、その後端面構成壁部９ａ，１１ａの内壁面の凹部１８，１９に収容され凹部１８，１９の内壁面に係止する構成となっている。ここでは、凹部１８，１９にケース内側係止部１７が収容され当該ケース内側係止部１７が凹部内壁面に係止している状態で、ケース内側係止部１７が後端面構成壁部９ａ，１１ａの内壁面位置よりもカードケース内側に出っ張らないように、ケース内側係止部１７と、凹部１８，１９とのそれぞれの大きさは関連付けられて構成されている。このような構成を備えることにより、後端面構成壁部９ａ，１１ａの内壁面位置よりもケース内側係止部１７がカードケース内側に突き出ない。このために、ケース内側係止部１７のためにカードケース３の内部空間が狭くなるという問題を防止することができる。【００２０】
この第１実施例では、表側ケース部６と裏側ケース部７は、滑り防止用部材４が組み込まれた状態で超音波溶着技術により接合されてカードケース３と成すものである。このため、滑り防止用部材４の全体は、表側ケース部６と裏側ケース部７を超音波溶着技術により接合するときにその超音波で溶融変形（溶着）しない材料である例えばエラストマ等の弾性材料により構成されている。また、滑り防止用部材４の本体部１５は、その厚みがカードケース３の後端面構成壁部９ａ，１１ａ等の周壁（つまり、超音波溶着技術により接合する部位）の厚みよりも薄い寸法設定となっている。このため、表側ケース部６と裏側ケース部７を超音波溶着技術により接合する工程で、滑り防止用部材４が弾性材料により構成されていても、表側ケース部６と裏側ケース部７の超音波振動が滑り防止用部材４の本体部１５に吸収されることを抑制することができる。このために、超音波溶着技術により接合し合う部位が均一に当接して超音波振動することができ、これにより、表側ケース部６と裏側ケース部７をむらなく超音波溶着技術により接合させることができる。【００２１】
また、この第１実施例では、カードケース３の後端側の壁部には、切り欠き１２，１３の壁面から突出して切り欠き１２，１３内の支持部１６の表面に食い込む突起部２１が設けられている（図２ｂ参照）。突起部２１は切り欠き１２，１３内の支持部１６の両側にそれぞれ設けられており、それら突起部２１は支持部１６を両側から挟持して支持部１６を切り欠き１２，１３内に固定させる。突起部２１は、表側ケース部６と裏側ケース部７の接合工程でもって次に示すように形成される。【００２２】
例えば、図１ｂの分解図に示されるような表側ケース部６と、裏側ケース部７と、滑り防止用部材４と、回路基板２とをそれぞれ用意する。なお、図３ａには、裏側ケース部７と接合する前の表側ケース部６が図１ｂの下側から見た模式的な平面図により示されている。図３ｂには、図３ａに表されている表側ケース部６の模式的な側面図が示されている。図３ｃには図３ａのＡ−Ａ部分の模式的な断面図が示されている。図３ａ〜図３ｃに示されるように、接合前の表側ケース部６の周壁部９の起立先端部には、周壁部９よりも細い突出部２３が、周壁部９の先端面に、両側の側部を避けた中央部に周壁部９を周回する方向に間欠的に設けられている。【００２３】
表側ケース部６と、裏側ケース部７と、滑り防止用部材４と、回路基板２とをそれぞれ用意した後には、例えば、表側ケース部６と裏側ケース部７のうちの一方側（ここでは、説明を容易にするために、便宜上、裏側ケース部７とする）の後端面構成壁部１１ａの各切り欠き１３内に、それぞれ、滑り防止用部材４の個別に対応する支持部１６を配置する。また、滑り防止用部材４のケース内側係止部１７は後端面構成壁部１１ａのカードケース内側の壁面（凹部１９の内壁面）に係止させる。さらに、裏側ケース部７の内側に回路基板２を配置する。【００２４】
然る後に、裏側ケース部７と、表側ケース部６との位置合わせを行う。このとき、裏側ケース部７の周壁部１１の先端部と、表側ケース部６の周壁部９の先端部との位置を合わせる。また、表側ケース部６の後端面構成壁部９ａの切り欠き１２が裏側ケース部７の後端面構成壁部１１ａの切り欠き１３の位置に合うようにする。このように位置合わせして裏側ケース部７と、表側ケース部６とを組み合わせる。なお、表側ケース部６の周壁部９の先端部には突出部２３が形成されているので、表側ケース部６と裏側ケース部７を組み合わせたときには、表側ケース部６の周壁部９の突出部２３の先端部と、裏側ケース部７の周壁部１１の先端面とが当接することとなる。【００２５】
表側ケース部６と裏側ケース部７を組み合わせた後に、超音波溶着技術により、表側ケース部６と裏側ケース部７を接合させる。すなわち、その組み合わされている表側ケース部６と裏側ケース部７にカードケース厚み方向の押圧力を印加して表側ケース部６と裏側ケース部７が互いに押し合っている状態とする。この状態で、表側ケース部６と裏側ケース部７に超音波を印加する。これにより、当接し合っている表側ケース部６の突出部２３と、裏側ケース部７の周壁部１１の先端面とが振動し擦れ合って発熱し、その突出部２３と、周壁部１１の先端面とが溶融して接合する。このとき、突出部２３のほぼ全部が溶融するように、超音波印加時間等の超音波溶着条件が設定されている。【００２６】
ところで、この超音波印加中には、図４ａのモデル図に示されるように表側ケース部６と、裏側ケース部７とには、互いに押圧する方向の力が印加されている。このため、超音波印加による表側ケース部６と裏側ケース部７との溶融物は、その押圧力によって、表側ケース部６と裏側ケース部７との周壁部９，１１の先端部間に押し広げられる。その溶融物が周壁部９，１１の壁面側に食み出ると、見栄え等がよくない。このために、通常は、突出部２３が溶融して押し広げられても図４ｂのモデル図に示されるように周壁部９，１１の壁面側に流れ出ないように、突出部２３の形成量や形成位置等が設計される。これに対して、この第１実施例では、例えば図５ａのモデル図に示されるように突出部２３を切り欠き壁面１２ａ，１３ａの位置まで伸張形成するなどして、突出部２３が超音波印加により溶融したときに、その溶融物の一部が図５ｂのモデル図に示されるように切り欠き壁面１２ａ，１３ａ側に押し出されるように突出部２３の形成位置や形成量等が設計されている。このため、この第１実施例では、超音波印加により周壁部９の突出部２３が溶融し、当該突出部２３の溶融物の一部が周壁部９，１１間から切り欠き１２，１３に食み出る。その食み出た溶融物は、切り欠き壁面１２ａ，１３ａと、支持部１６との間に入り込んで弾性材料から成る支持部１６の表面を押して弾性変形させながら切り欠き壁面１２ａ，１３ａから切り欠き１２，１３内に突出する。この状態のまま、その突出した溶融物が硬化して突起部２１と成す。【００２７】
このように、表側ケース部６と裏側ケース部７を溶着させて接合させる工程でもって同時に突起部２１を作り出すことにより、突起部２１の製造が容易にできる。また、この第１実施例では、滑り防止用部材４の支持部１６を表側ケース部６と裏側ケース部７の周壁部９，１１の切り欠き１２，１３内に収容した後に、突起部２１が形成され当該突起部２１により支持部１６が切り欠き１２，１３内に固定される。このため、切り欠き１２，１３内に滑り防止用部材４の支持部１６を収容する際に、突出部２１に邪魔されることなく、支持部１６をスムーズに切り欠き１２，１３内に配置させることができる。また、支持部１６を突出部２１により強固に切り欠き１２，１３内に固定させることが可能となる。【００２８】
この第１実施例では、カード型装置１を装着対象の機器のカード用スロット内に挿入する場合に挿入後端側となるカードケース３の周壁の後端側の壁部に、滑り防止用部材４が掛け留めして配設されている。このため、カード型装置１を装着対象機器のカード用スロットに抜き差しするときに、カード型装置１を把持した指がカードケース３の表面を滑り難くなってカード型装置１を把持し易くなる。これにより、カード用スロットにカード型装置１をスムーズに抜き差しすることができる。【００２９】
また、この第１実施例では、滑り防止用部材４が弾性部材により構成されているので、カード型装置１を把持し易くなる上に、カード型装置１を把持したときの手触りが柔らかくなり、感触が良くなる。【００３０】
さらに、この第１実施例では、カードケース３の後端面構成壁部には切り欠き１２，１３が設けられている。また、滑り防止用部材４は、それら切り欠き１２，１３内に支持部１６を配置しケース内側係止部１７をカードケース３の後端面構成壁部９ａ，１１ａのカードケース内側の壁面に係止させることによって、簡単に、かつ、簡素な構造でもって、滑り防止用部材４をカードケース３の周壁部９の後端側の壁部に掛け留めすることができる。【００３１】
さらに、この第１実施例では、表側ケース部６と裏側ケース部７が両方共に樹脂材料により構成され、表側ケース部６と裏側ケース部７が超音波溶着技術により接合されている。また、滑り防止用部材４は、表側ケース部６と裏側ケース部７を接合するための超音波印加中にその超音波で溶着しない材料により構成されている。この構成のために、表側ケース部６と裏側ケース部７と滑り防止用部材４を組み合わせた状態で、滑り防止用部材４の溶着（溶融変形）を懸念することなく、表側ケース部６と裏側ケース部７を超音波溶着技術により接合させることが可能となる。つまり、カードケース３の表側ケース部６と裏側ケース部７の接合工程で同時に滑り防止用部材４をカードケース３に組み込むことができる。このため、滑り防止用部材４をカードケース３に装着する構成としても、カード型装置１の組み立て工程の煩雑化を防止することができる。【００３２】
さらに、切り欠き１２，１３の壁面から滑り防止用部材４の支持部１６に向けて突出して支持部１６の表面を押圧する突起部２１が形成されているので、支持部１６を切り欠き１２，１３の内部で固定することができる。これにより、滑り防止用部材４をカードケース３に、より強固に取り付けることができる。【００３３】
以下に、第２実施例を説明する。なお、この第２実施例では、第１実施例と同一構成部分には同一符号を付し、その共通部分の重複説明は省略する。【００３４】
この第２実施例では、滑り防止用部材４は、図６の平面図に示されるように、本体部１５と、この本体部１５から突出されている複数の支持部１６と、次に示すケース内側係止部１７とを有して構成されている。そのケース内側係止部１７は、カードケース３の後端面構成壁部９ａ，１１ａのケース内側壁面に沿って伸長形成されて各支持部１６のケース内側先端部位を共通に連結する連結部材の態様と成している。【００３５】
また、この第２実施例では、ケース内側係止部１７は、カードケース３の後端面構成壁部９ａ，１１ａよりもカード内側に配設されており、このケース内側係止部１７のカードケース内側面は平坦と成している。当該ケース内側係止部１７のカードケース内側面は、カードケース３の内側に収容される回路基板２の端面に当接して回路基板２の配置位置を固定する回路基板位置決め固定用の平坦面部として機能する。【００３６】
第２実施例の上記構成以外のカード型装置構成は第１実施例と同様となっている。【００３７】
この第２実施例では、滑り防止用部材４のカードケース内側の部位には、回路基板位置決め固定用の平坦面部が形成されているので、次に示すような効果を得ることができる。つまり、カードケース３は加工精度の問題からその寸法にばらつきが生じる。このため、カードケース３の寸法が設計値よりも大きいと、回路基板２がカードケース３の内部でがたつきやすくなることがある。これに対して、この第２実施例では、滑り防止用部材４を弾性部材により構成し、この滑り防止用部材４のカードケース内側の部位に回路基板位置決め固定用の平坦面部が形成されている。このため、例えば、回路基板２の端面が滑り防止用部材４のその平坦面部を押圧して押し込み弾性変形させている状態で回路基板２がカードケース３の内部に嵌め込まれるように滑り防止用部材４を形成することによって、滑り防止用部材４の平坦面部から回路基板２へ弾性押圧力が生じる。この弾性押圧力により例えば回路基板２の挿入先端側の端面が例えばカードケース３の挿入先端側の内壁部に係止して、回路基板２をカードケース３の内部に固定させることができる。また、この場合には、カードケース３の大きさが例えば許容範囲内のばらつきであれば、滑り防止用部材４の平坦面部の回路基板２による押し込み弾性変形量が変化するだけであり、回路基板２をカードケース３にがたつき無く位置決め固定することが可能となる。つまり、簡単な構成で、回路基板２を確実にカードケース３に固定することが容易となる。【００３８】
なお、この発明は第１や第２の各実施例の形態に限定されるものではなく、様々な実施の形態を採り得る。例えば、第１や第２の各実施例では、滑り防止用部材４は弾性材料により構成されていたが、滑り防止用部材４は、表側ケース部６と裏側ケース部７を接合するときの超音波中にその超音波で溶着しない材料であればよく、弾性材料に限定されるものではない。【００３９】
また、第１実施例では、滑り防止用部材４のケース内側係止部１７がカードケース３の後端面構成壁部９ａ，１１ａよりもカード内側に突出しない構成であったが、例えば、図７の平面図に示されるように、滑り防止用部材４のケース内側係止部１７がカードケース３の後端面構成壁部９ａ，１１ａよりもカード内側に突出する構成としてもよい。また、この場合には、例えば、ケース内側係止部１７のケース内側面を平坦面とし、ケース内側係止部１７のケース内側面が、カードケース３の内部に収容される回路基板２の端面に当接して回路基板２の配置位置を固定する回路基板位置決め固定用の平坦面部として機能する構成としてもよい。【００４０】
さらに、第１や第２の各実施例では、表側ケース部６と裏側ケース部７の両方に周壁部９，１１が形成されていたが、例えば表側ケース部６と裏側ケース部７のうちの一方側だけに周壁部が設けられ、他方側は平板状と成している構成としてもよい。【００４１】
さらに、第１や第２の各実施例では、切り欠き壁面１２ａ，１３ａから切り欠き１２，１３内に向けて突出して滑り防止用部材４の支持部１６の表面に食い込む突起部２１が形成されていたが、突起部２１を設けなくとも、例えば滑り防止用部材４を要望通りの状態でカードケース３に装着することができる場合には、突起部２１を省略してもよい。【００４２】
さらに、第１や第２の各実施例では、カードケース３の後端面構成壁部９ａ，１１ａには複数の切り欠き１２，１３が設けられ、滑り防止用部材４には複数の支持部１６が設けられる構成であったが、例えば、カードケース３の後端面構成壁部９ａ，１１ａには切り欠き１２，１３を唯一つだけ設ける構成とし、滑り防止用部材４の支持部１６も一つだけ設けられる構成としてもよい。このように、切り欠き１２，１３や、滑り防止用部材４の支持部１６の数は適宜設定されるものであり、数が限定されるものではない。【００４３】
さらに、第１や第２の各実施例では、表側ケース部６と裏側ケース部７は超音波溶着技術により接合される例を示したが、表側ケース部６と裏側ケース部７は超音波溶着技術以外の接合技術により接合する構成としてもよい。
【産業上の利用可能性】
【００４４】
本発明は、ＳＤカードやＰＣカード等のように指等で把持して扱われるカード型装置に有効である。
【図１ａ】
2007032212.tif 000002
【図１ｂ】
2007032212.tif 000003
【図２ａ】
2007032212.tif 000004
【図２ｂ】
2007032212.tif 000005
【図３ａ】
2007032212.tif 000006
【図３ｂ】
2007032212.tif 000007
【図３ｃ】
2007032212.tif 000008
【図４ａ】
2007032212.tif 000009
【図４ｂ】
2007032212.tif 000010
【図５ａ】
2007032212.tif 000011
【図５ｂ】
2007032212.tif 000012
【図６】
2007032212.tif 000013
【図７】
2007032212.tif 000014
【図８ａ】
2007032212.tif 000015
【図８ｂ】
2007032212.tif 000016
【手続補正書】
【提出日】平成20年6月23日(2008.6.23)
【手続補正１】
【補正対象書類名】特許請求の範囲
【補正対象項目名】全文
【補正方法】変更
【補正の内容】
【特許請求の範囲】
【請求項１】
回路基板がカードケース内に収容配置されて成るカード型装置において、このカード型装置は、装着対象の機器に設けられているカード用スロット内に抜き差し可能なものであり、前記カード用スロット内に挿入する場合に挿入後端側となるカードケースの周壁の後端側の壁部であって、カード型装置がカード用スロット内に挿入されている状態で前記カード型装置を把持可能な部位に、カード型装置の抜き差し時に把持位置となる部位の表面に露出させて、滑り防止用部材が掛け留めして配設されており、前記カードケースは、回路基板の表面側を覆う樹脂材料の表側ケース部と、回路基板の裏面側を覆う樹脂材料の裏側ケース部とを有し、
カードケースの表側ケース部と裏側ケース部とのうちの少なくとも一方側は、回路基板面を覆う平板状のケース面から起立してカードケースの後端側の壁部を構成する後端面構成壁部を有し、当該後端面構成壁部には、起立先端側から基端側に向けて切り欠きが形成されており、
滑り防止用部材は、カードケース外側から前記後端面構成壁部の切り欠きを通してカードケース内側に伸長形成される支持部と、この支持部のカードケース内側部分に設けられ後端面構成壁部のカードケース内側の壁面に係止して滑り用部材を抜け止めするためのケース内側係止部とを有し、
滑り防止用部材の支持部が切り欠き内に配置されケース内側係止部が後端面構成壁部のカードケース内側の壁面に係止して滑り防止用部材がカードケースの周壁の後端側の壁部に掛け留めされた状態で表側ケース部と裏側ケース部が組み合わされ、前記後端面構成壁部の起立先端部は、組み合わされる相手側のケース部と当接し、この当接位置において表側ケース部と裏側ケース部とは超音波溶着技術によって接合されており、前記滑り防止用部材は、前記カードケースの後端面構成壁部を覆う本体部と、当該本体部の両端からカードケースの両側面に沿わせて延伸させて、その延伸部位によりカードケースの前記後端面構成壁部の近傍の両側面部位を局所的に覆う部位とを有しているとともに、表側ケース部と裏側ケース部を接合するための超音波印加中にその超音波で溶着しない材料により構成されていることを特徴とするカード型装置。
【請求項２】
回路基板がカードケース内に収容配置されて成るカード型装置において、このカード型装置は、装着対象の機器に設けられているカード用スロット内に抜き差し可能なものであり、前記カード用スロット内に挿入する場合に挿入後端側となるカードケースの周壁の後端側の壁部には、少なくともカード型装置の抜き差し時に把持位置となる部位の表面に露出させて、滑り防止用部材が掛け留めして配設されており、
前記カードケースは、回路基板の表面側を覆う表側ケース部と、回路基板の裏面側を覆う裏側ケース部とを有し、
カードケースの表側ケース部と裏側ケース部とのうちの少なくとも一方側は、回路基板面を覆う平板状のケース面から起立してカードケースの後端側の壁部を構成する後端面構成壁部を有し、当該後端面構成壁部には、起立先端側から基端側に向けて切り欠きが形成されており、
滑り防止用部材は、カードケース外側から前記後端面構成壁部の切り欠きを通してカードケース内側に伸長形成される支持部と、この支持部のカードケース内側部分に設けられ後端面構成壁部のカードケース内側の壁面に係止して滑り用部材を抜け止めするためのケース内側係止部とを有し、
滑り防止用部材の支持部が切り欠き内に配置されケース内側係止部が後端面構成壁部のカードケース内側の壁面に係止して滑り防止用部材がカードケースの周壁の後端側の壁部に掛け留めされた状態で表側ケース部と裏側ケース部が組み合わされ、前記後端面構成壁部の起立先端部は、組み合わされる相手側のケース部と当接し、この当接位置は表側ケース部と裏側ケース部との接合部位であり、
前記表側ケース部と、裏側ケース部とは両方共に樹脂材料により構成され、表側ケース部と、裏側ケース部とは超音波溶着技術によって接合されており、
滑り防止用部材は、表側ケース部と裏側ケース部を接合するための超音波印加中にその超音波で溶着しない材料により構成されており、
表側ケース部と裏側ケース部を接合するための超音波印加により溶融した表側ケース部と裏側ケース部の接合部分の一部が切り欠き内に流れ込み切り欠き内の滑り防止用部材の支持部との間に入り込んだ溶融物が硬化して切り欠き壁面から支持部に向けて突出して支持部表面を押圧する突起部と成していることを特徴とするカード型装置。
【請求項３】
滑り防止用部材は弾性材料により構成されていることを特徴とする請求項１又は請求項２記載のカード型装置。
【請求項４】
滑り防止用部材のケース内側係止部は、支持部のカードケース内側部分からカードケースの後端面構成壁部の内壁面に沿う方向に突出した爪形状であることを特徴とする請求項１乃至請求項３のいずれか１つに記載のカード型装置。
【請求項５】
カードケースの後端面構成壁部の切り欠きは、複数設けられる構成と成し、
滑り防止用部材は、後端面構成壁部の複数の切り欠きにそれぞれ対応した複数の支持部を有し、各支持部のカードケース内側先端部位はカードケースの後端面構成壁部の内壁面に沿って伸長する共通の連結部材によって連結され、この連結部材が各支持部のケース内側係止部と成していることを特徴とする請求項１乃至請求項３のいずれか１つに記載のカード型装置。
【請求項６】
滑り防止用部材は弾性材料により構成されており、滑り防止用部材のカードケース内側の部位には、カードケース内に収容される回路基板の端面に当接して回路基板の配置位置を固定する回路基板位置決め固定用の平坦面部が形成されていることを特徴とする請求項１乃至請求項５のいずれか１つに記載のカード型装置。
【手続補正２】
【補正対象書類名】明細書
【補正対象項目名】０００８
【補正方法】変更
【補正の内容】
【０００８】
この発明は次に示す構成をもって前記課題を解決するための手段としている。すなわち、この発明は、回路基板がカードケース内に収容配置されて成るカード型装置において、このカード型装置は、装着対象の機器に設けられているカード用スロット内に抜き差し可能なものであり、前記カード用スロット内に挿入する場合に挿入後端側となるカードケースの周壁の後端側の壁部であって、カード型装置がカード用スロット内に挿入されている状態で前記カード型装置を把持可能な部位に、カード型装置の抜き差し時に把持位置となる部位の表面に露出させて、滑り防止用部材が掛け留めして配設されており、前記カードケースは、回路基板の表面側を覆う樹脂材料の表側ケース部と、回路基板の裏面側を覆う樹脂材料の裏側ケース部とを有し、カードケースの表側ケース部と裏側ケース部とのうちの少なくとも一方側は、回路基板面を覆う平板状のケース面から起立してカードケースの後端側の壁部を構成する後端面構成壁部を有し、当該後端面構成壁部には、起立先端側から基端側に向けて切り欠きが形成されており、滑り防止用部材は、カードケース外側から前記後端面構成壁部の切り欠きを通してカードケース内側に伸長形成される支持部と、この支持部のカードケース内側部分に設けられ後端面構成壁部のカードケース内側の壁面に係止して滑り用部材を抜け止めするためのケース内側係止部とを有し、滑り防止用部材の支持部が切り欠き内に配置されケース内側係止部が後端面構成壁部のカードケース内側の壁面に係止して滑り防止用部材がカードケースの周壁の後端側の壁部に掛け留めされた状態で表側ケース部と裏側ケース部が組み合わされ、前記後端面構成壁部の起立先端部は、組み合わされる相手側のケース部と当接し、この当接位置において表側ケース部と裏側ケース部とは超音波溶着技術によって接合されており、前記滑り防止用部材は、前記カードケースの後端面構成壁部を覆う本体部と、当該本体部の両端からカードケースの両側面に沿わせて延伸させて、その延伸部位によりカードケースの前記後端面構成壁部の近傍の両側面部位を局所的に覆う部位とを有しているとともに、表側ケース部と裏側ケース部を接合するための超音波印加中にその超音波で溶着しない材料により構成されていることを特徴としている。また、別の構成の本発明は、回路基板がカードケース内に収容配置されて成るカード型装置において、このカード型装置は、装着対象の機器に設けられているカード用スロット内に抜き差し可能なものであり、前記カード用スロット内に挿入する場合に挿入後端側となるカードケースの周壁の後端側の壁部には、少なくともカード型装置の抜き差し時に把持位置となる部位の表面に露出させて、滑り防止用部材が掛け留めして配設されており、前記カードケースは、回路基板の表面側を覆う表側ケース部と、回路基板の裏面側を覆う裏側ケース部とを有し、カードケースの表側ケース部と裏側ケース部とのうちの少なくとも一方側は、回路基板面を覆う平板状のケース面から起立してカードケースの後端側の壁部を構成する後端面構成壁部を有し、当該後端面構成壁部には、起立先端側から基端側に向けて切り欠きが形成されており、滑り防止用部材は、カードケース外側から前記後端面構成壁部の切り欠きを通してカードケース内側に伸長形成される支持部と、この支持部のカードケース内側部分に設けられ後端面構成壁部のカードケース内側の壁面に係止して滑り用部材を抜け止めするためのケース内側係止部とを有し、滑り防止用部材の支持部が切り欠き内に配置されケース内側係止部が後端面構成壁部のカードケース内側の壁面に係止して滑り防止用部材がカードケースの周壁の後端側の壁部に掛け留めされた状態で表側ケース部と裏側ケース部が組み合わされ、前記後端面構成壁部の起立先端部は、組み合わされる相手側のケース部と当接し、この当接位置は表側ケース部と裏側ケース部との接合部位であり、前記表側ケース部と、裏側ケース部とは両方共に樹脂材料により構成され、表側ケース部と、裏側ケース部とは超音波溶着技術によって接合されており、滑り防止用部材は、表側ケース部と裏側ケース部を接合するための超音波印加中にその超音波で溶着しない材料により構成されており、表側ケース部と裏側ケース部を接合するための超音波印加により溶融した表側ケース部と裏側ケース部の接合部分の一部が切り欠き内に流れ込み切り欠き内の滑り防止用部材の支持部との間に入り込んだ溶融物が硬化して切り欠き壁面から支持部に向けて突出して支持部表面を押圧する突起部と成していることを特徴としている。
【国際調査報告】
2007032212.tif 000017
2007032212.tif 000018
2007032212.tif 000019
2007032212.tif 000020